(57)【要約】【課題】本発明は異なるデバイス間で生じる色の違いを修正する色変換装置に関し、特に色変換テーブルの再作成を行うことなく、プロファイルの出力を調整することによって、色変換処理を迅速に行うことができる色変換装置及び色変換プログラムを提供するものである。【解決手段】色変換部１は色変換テーブル３を有し、色変換テーブル３には色変換プロファイルが設定され、入力データに対して色変換処理を行い、変換結果を色調整部２に出力する。色調整部２は色変換部１によって色変換された出力データを入力データに基づいて色調整し、不図示の印刷装置に出力して印刷処理を行う。このように構成することにより、色変換プロファイルに基づいて変換された出力データに不要な色の混入がある場合これを調整し、一方視認性に問題がない色変換データである場合そのまま出力データを印刷装置に出力し、再生画像の視認性を確保しつつ、処理速度の高速化を可能とした色変換装置及び色変換プログラムを提供するものである。【選択図】　　　図２
2004007367.tif 000002
【特許請求の範囲】
【請求項１】
デバイスに対応した色変換プロファイルを有し、色情報を含む入力データを該色変換プロファイルに従って色変換する色変換手段と、
該色変換手段によって変換された色データを、前記入力データに基づいて調整する色調整手段と、
該色調整手段によって調整された調整色データを前記デバイスに出力する出力手段と、
を有することを特徴とする色変換装置。
【請求項２】
コンピュータが実行可能なプログラムであって、
色情報を含む入力データを色変換プロファイルに従って色変換する処理と、
該処理によって変換された色データを、前記入力データに基づいて調整する処理と、
該処理によって調整された調整色データを、前記色変換プロファイルに対応したデバイスに出力する処理と、
を実行することを特徴とする色変換プログラム。
【請求項３】
色情報を含む入力データを色変換プロファイルに従って色変換する処理と、
該処理によって変換された色データを、前記入力データに基づいて調整する処理と、
該処理によって調整された調整色データを、前記色変換プロファイルに対応したデバイスに出力する処理と、
を行うプログラムを記録し、コンピュータが実行可能なプログラムを記録する記録媒体。
【発明の詳細な説明】
【０００１】
【発明の属する技術分野】
本発明は異なるデバイス間で生じる色の違いを修正する色変換装置、及び色変換プログラムに関する。
【０００２】
【従来の技術】
今日、コンピュータの普及と共にプリンタ装置や、スキャナー装置、ＣＲＴディスプレイ等の周辺機器が普及し、例えばスキャナー装置から読み込んだ原稿データをＣＲＴディスプレイに表示し、更にプリンタ装置で印刷出力することが行われている。また、ネットワークを介して印刷データを印刷機に送信し、印刷処理を行わせることも行われている。
【０００３】
この為、同じ印刷データを使用する場合、各デバイス間での色修正が必要となる。例えば、印刷機とプリンタ装置間では、プルーフ対象となる印刷機のプロファイルと出力対象のプリンタ装置のプロファイルを使用して印刷データの色変換処理を行い、印刷出力している。
【０００４】
しかし、上記方法では色合わせを行うことはできるが、例えばブラック（Ｋ）の所謂モノクロ印刷がＣＭＹＫ系で再現され、マゼンダ（Ｍ）のみの印刷がＭＣ系で再現される等の想定しない色が混じり合う結果も生じる。この為、特にインクジェット方式のプリンタ装置をプルーフ出力機器とした場合等に、想定しない色が印刷出力されることになる。
【０００５】
従来、このような問題に対し、入力するＣＭＹＫ系の一次色や２次色に対して拘束条件を付加し、想定しない色が混ざらないように色変換テーブルを再作成することが提案されている（例えば、特許文献１参照）。
【０００６】
【特許文献１】
特開２００１−１０３３３０号公報
【０００７】
【発明が解決しようとする課題】
しかしながら、上記方法によれば、例えばブラックはブラック、マゼンダはマゼンダによって再現することはできるが、処理時間が長くなり実際の運用に適さない。
【０００８】
また、デバイスによっては、地色が含まれた場合でも問題とならない場合もあり、色変換テーブルを再作成することは非効率な作業である。また、色変換テーブルを再作成することによって、元の色変換プロファイルの情報が失われ、例えば演算誤差等によって予測できない色が混入する危険もある。
【０００９】
そこで、本発明は上記課題に鑑みてなされたものであり、色変換テーブルの再作成を行うことなく、プロファイルの出力を調整することによって、視認性に悪影響を与えることなく、色変換処理を高速に行う色変換装置、及び色変換プログラムを提供するものである。
【００１０】
【課題を解決するための手段】
上記課題は、請求項１に記載した発明によれば、デバイスに対応した色変換プロファイルを有し、色情報を含む入力データを該色変換プロファイルに従って色変換する色変換手段と、該色変換手段によって変換された色データを、前記入力データに基づいて調整する色調整手段と、該色調整手段によって調整された調整色データを前記デバイスに出力する出力手段とを有する色変換装置を提供することによって達成できる。
【００１１】
ここで、デバイスは減法混色系の印刷装置のみならず、加法混色系の表示装置を含めた構成であり、上記色変換プロファイルはデバイスの特性に従った色データの変換テーブルである。
【００１２】
また、上記色変換手段は入力データを色変換プロファイルによって一律に色変換する。したがって、視認上問題のない場合でも一律に色変換が行われ、逆に色の混じりが認識されるような色変換も行われる場合もあり、色調整手段は予め設定された調整パラメータに従って色調整を行う。
【００１３】
このように構成することにより、色の混じりを無くし、視認性に問題がない場合には色変換プロファイルに基づく色変換出力をそのまま出力し、より高速に色変換処理を行う構成である。
【００１４】
また、請求項２に記載の発明は、上記色変換処理をプログラムによって実現する構成であり、このように構成することによっても、色の混じりを無くし、より高速に色変換処理を行うことができる。
【００１５】
【発明の実施の形態】
以下、本発明の実施形態を図面に基づいて詳細に説明する。
＜第１の実施形態＞
図１は本発明の第１実施形態のシステム構成図である。
【００１６】
本システムは色変換部１及び色調整部２で構成され、色変換部１は後述する色変換プロファイルを備え、色調整部２には後述するは調整パラメータが設定されている。入力データは色変換部１に入力し、色変換部１によって色変換プロファイルに従った入力データの色変換処理が行われる。このようにして色変換処理が施された出力データは、更に色調整部２によって色調整され、調整データを出力する。尚、上記入力データはシアン（Ｃ）、マゼンダ（Ｍ）、イエロー（Ｙ）、ブラック（Ｋ）の各データであり、画素毎の階調データである。
【００１７】
図２は上記システムをより具体的に示すシステム構成図であり、色変換部１に備えられた色変換テーブルの具体例を示す。色変換テーブル３はＣＭＹＫ系の入力データ（ＣｉＭｉＹｉＫｉ）を、出力デバイスに対応する出力データ（ＣｏＭｏＹｏ　Ｋｏ）に変換するプロファイルであり、同図に示す変換値を有する。
【００１８】
このプロファイルには、入力データ（ＣｉＭｉＹｉＫｉ）の組み合わせに対する出力データ（ＣｏＭｏＹｏＫｏ）が記述されており、組み合わせに無い場合は近傍の階調値を補完演算することによって求める。例えば、入力データ（ＣｉＭｉＹｉＫｉ）が（４，０，０，０）の時、この入力データは（０，０，０，０）と（８，０，０，０）の中間点であり、周囲の色と補完され出力データ（３，１，１，０）となる。
【００１９】
上記色変換された出力データ（ＣｏＭｏＹｏＫｏ）は、色調整部２において以下の調整処理が行われる。色調整部２は、調整パラメータに従って色調整を行う。例えば、以下の（１式）に示すように、入力データを（ＣｉＭｉＹｉＫｉ）とし、出力データを（ＣｏＭｏＹｏＫｏ）とし、色調整後の調整データを（ＣＭＹＫ）とすると、
【００２０】
【数１】
2004007367.tif 000003
【００２１】
に従った色調整処理を行う。尚、・は論理積を示し、∨は論理和を示す。
以下、図３を使用して具体的な数値を用いて説明する。尚、同図に示す各数値は階調を示す。
【００２２】
先ず、同図に示すＮｏ．１の例は、入力データ（ＣｉＭｉＹｉＫｉ）が（０，０，１００，０）であり、シアン（Ｃ）、マゼンダ（Ｍ）、ブラック（Ｂ）が全て０であり、イエロー（Ｙ）のみが階調１００の入力データである。この場合、色変換部１によって上記入力データは出力データ（１，２，９５，０）に変換される。この変換処理は前述の色変換プロファイルに従ってデバイスに対応した変換処理である。
【００２３】
次に、色調整部２は上記入力データ及び出力データに基づいて調整処理を行う。ここで、上記（１式）にＮｏ．１の具体的な数値を入力すると調整後のデータ（ＣＭＹＫ）は、
Ｃ＝　１×（０∨１∨１∨０）・（０∨０∨０∨０）・（０∨１∨０∨０）
Ｍ＝　２×（１∨０∨１∨０）・（０∨０∨０∨０）
Ｙ＝９５×（０∨０∨１∨０）・（０∨０∨１∨０）
Ｋ＝０
上記計算式から調整後のデータ（ＣＭＹＫ）は、（０，０，９５，０）となり、調整後のデータはイエロー（Ｙ）のみの色データとなる。したがって、入力データがイエロー（Ｙ）のみである場合、色変換部１による変換処理によればシアン（Ｃ）やマゼンダ（Ｍ）が混入することになるが、本例の色調整部２によって上記色の混入は除去され、他の色の混入のない色データに調整することができる。したがって、イエロー（Ｙ）の入力データはイエロー（Ｙ）のみの色で印刷出力される。
【００２４】
次に、同図のＮｏ．２に示す例は、入力データ（ＣｉＭｉＹｉＫｉ）が（０，１００，０，０）であり、シアン（Ｃ）、イエロー（Ｙ）、ブラック（Ｋ）が全て０であり、マゼンダ（Ｍ）のみが階調数１００の色データである。この場合、色変換部１は上記色データを色変換プロファイルに従って変換し、出力データ（３，９０，１０，０）を生成する。
【００２５】
次に、色調整部２は上記入力データ及び出力データに基づいて色調整を行い、上記（１式）にＮｏ．２の具体的な数値を入力する。この場合、調整後のデータ（ＣＭＹＫ）は、
Ｃ＝　３×（０∨０∨０∨０）・（０∨１∨１∨０）・（０∨０∨１∨０）
Ｍ＝９０×（１∨１∨０∨０）・（０∨１∨１∨０）
Ｙ＝１０×（０∨１∨０∨０）・（０∨１∨０∨０）
Ｋ＝０
上記計算式から調整後のデータ（ＣＭＹＫ）は、（０，９０，１０，０）となり、調整後のデータはマゼンダ（Ｍ）とイエロー（Ｙ）の色データとなる。したがって、入力データがマゼンダ（Ｍ）のみである場合、色変換部１による変換処理によればシアン（Ｃ）が混入することになるが、本例の色調整部２による色調整によってマゼンダ（Ｍ）とイエロー（Ｙ）のみが含まれる色データとなる。尚、イエロー（Ｙ）は他の色に混入した場合でも、例えば上記１０階調程度では殆ど問題がなく、視認性に悪影響を及ぼすことはない。
【００２６】
以下、Ｎｏ．３〜Ｎｏ．６についても、上記と同様に図３に示す数値を順次入力し、色調整部２によって色調整を行うことにより視認性に影響を与える色の混入を防止し、より高速に色変換処理を行うことができる。
【００２７】
すなわち、本例の色変換装置によれば、視認性に影響を与えない場合には色変換部１の出力をそのままプリンタ装置に出力し、視認性に影響を与えない場合には調整パラメータによって当該色の出力を除去するものである。
【００２８】
尚、後述するように色調整部２に設定する調整パラメータは変更可能であり、より柔軟に色調整処理を行うことができる。
＜第２の実施形態＞
次に、本発明の第２の実施形態について説明する。
【００２９】
図４は本例のシステム構成図である。同図において、本システムは複数の色変換部４ａ、４ｂ、・・・、及び色調整部５で構成され、色変換部４ａ、４ｂ、・・・は前述と同様の色変換プロファイルを備え、色調整部２には調整パラメータが設定されている。入力データは色変換部４ａに入力し、色変換プロファイルに従って入力データの色変換処理を行う。このようにして色変換された出力データは、更に色変換部４ｂに送られ色変換処理が行われる。そして、最後に色調整部５に送られ、色調整が行われ、調整データが出力される。
【００３０】
図５は上記システムをより具体的に示すシステム構成図であり、色変換部４ａに備えられた色変換テーブルは印刷用プロファイルであり、入力データを標準色モデルに対応する色データ（Ｌ＊ａ＊ｂ＊）に変換する。また、色変換部４ｂに備えられた色変換テーブルはプリンタ用プロファイルであり、上記色データ（Ｌ＊ａ＊ｂ＊）をＣＭＹＫ系の出力データ（ＣｏＭｏＹｏＫｏ）に変換する。
【００３１】
色調整部５には前述と同じ調整パラメータが設定され、色変換部４ｂから出力される出力データを色調整する。この色調整は前述の第１の実施形態と同様であり、イエロー（Ｙ）のみの入力データの場合、イエロー（Ｙ）のみの色データに調整する。また、シアン（Ｃ）やマゼンダ（Ｍ）を含む色データの場合、視認性に影響を与える色の混入を防止した調整データに調整する。
【００３２】
以上のように構成することによって、色変換プロファイルの色変換を調整しつつ、より高速な色変換処理を実現することができる。
尚、本例の場合も、色調整部５に設定する調整パラメータは変更可能であり、より柔軟に色調整処理を行うことができる。
＜第３の実施形態＞
次に、本発明の第３の実施形態について説明する。
【００３３】
図６は本例のシステム構成図である。同図において、本システムは複数の色変換部６ａ、６ｂ、・・・、及び色調整部７で構成され、色変換部６ａ、６ｂ、・・・はＣＭＹＫ系の色変換、又はモノクロの色変換を行う。
【００３４】
図７は上記システムをより具体的に示すシステム構成図であり、色変換部６ａに備えられた色変換テーブルは印刷用プロファイルであり、前述と同様、入力データを色データ（Ｌ＊ａ＊ｂ＊）に変換する。また、色変換部６ｂに備えられた色変換テーブルはプリンタ用プロファイルであり、特にＣＭＹＫ系の色変換プロファイルである。また、色変換部６ｃに備えられた色変換テーブルはプリンタ用プロファイルであり、特にモノクロ用の変換プロファイルである。
【００３５】
色調整部７は調整パラメータに従って、入力データ（ＣｉＭｉＹｉＫｉ）に基づいて出力データの選択する。ここで、ＣＭＹＫ系の色調整部６ｂは出力データ（Ｃｏ１Ｍｏ１Ｙｏ１Ｋｏ１）を出力し、モノクロ系の色調整部６ｃは出力データ（Ｋｏ２）を出力する。色調整部７は、入力データ（ＣｉＭｉＹｉＫｉ）に基づいて上記出力データ（Ｃｏ１Ｍｏ１Ｙｏ１Ｋｏ１）、又は出力データ（Ｋｏ２）の何れかを選択する。
【００３６】
以下に示す計算式は、色調整部７に設定される調整パラメータに基づくものである。
【００３７】
【数２】
2004007367.tif 000004
【００３８】
尚、上記式においても、∨は論理和を示す。
以下、具体的な数値を使用して説明する。図８はその一例であり、入力データ（ＣｉＭｉＹｉＫｉ）が（０，０，０，１００）の例である。この場合、シアン（Ｃ）、マゼンダ（Ｍ）、イエロー（Ｙ）が全て０であり、ブラック（Ｋ）のみが階調１００のデータである。
【００３９】
この入力データは、色変換部６ｂにおいて出力データ（Ｃｏ１Ｍｏ１Ｙｏ１Ｋｏ１）に変換される。この出力データ（Ｃｏ１Ｍｏ１Ｙｏ１Ｋｏ１）は、図８に示すように（７０，６０，６５，５０）である。また、色変換部６ｃにおいてモノクロ用プロファイルによって変換され、出力データ（Ｋｏ２：９５）が得られる。
【００４０】
色調整部７は上記調整パラメータに基づいて処理を行い、出力データの選択を行う。すなわち、
Ｃ＝７０×（０∨０∨０∨０）
Ｍ＝６０×（０∨０∨０∨０）
Ｙ＝６５×（０∨０∨０∨０）
Ｋ＝５０×（０∨０∨０∨０）＋９５×（１∨１∨１∨１）
したがって、上記計算式から色変換部６ｂの出力は０となり、出力データ（Ｋｏ２）が選択され、ブラック（Ｋ）のデータのみを調整後のデータとして出力する。クロ印字を行う場合、ＣＭＹＫ系によっても再現することができるが、インクの混色によってクロ色を再現するので、所謂くすんだクロ印字となる。
【００４１】
本例によれば、クロ印字はブラック（Ｋ）のインクのみを使用して行うことになるので、クロインクそのものの特性となり、例えば光沢のあるクロ印字等を実現できる。
＜第４の実施形態＞
次に、本発明の第４の実施形態について説明する。
【００４２】
本システムは入力データが明確でない場合、逆色変換部を使用し、出力データから逆に入力データを生成し、得られた入力データを使用して色調整を行う構成である。
【００４３】
図９は本例のシステム構成図である。色変換部１０は前述と同様、入力データ（ＣｉＭｉＹｉＫｉ）を出力データ（ＣｏＭｏＹｏＫｏ）に変換する色変換テーブルを有し、色調整部１１は当該出力データ（ＣｏＭｏＹｏＫｏ）に従って調整データ（ＣＭＹＫ）を作成する。また、逆色変換部１２は上記出力データ（ＣｏＭｏ　ＹｏＫｏ）を受信し、色変換テーブルの情報を参照し、入力データ（Ｃｉ’Ｍｉ’　Ｙｉ’Ｋｉ’）を生成する。
【００４４】
このようにして生成された入力データ（Ｃｉ’Ｍｉ’Ｙｉ’Ｋｉ’）は、色調整部１１に出力され、色調整部１１の色調整処理に使用される。尚、この色調整部１１が行う色調整処理は前述の第１の実施形態乃至第３の実施形態で説明した処理と同じであり、説明を省略する。
【００４５】
以上のように処理することによって、例えば入力データが使用できない事情が存在する場合、色変換部１０で色変換された後の出力データを使用し、入力データを生成して色調整処理に使用することができる。
【００４６】
尚、上記例では前述の第１の実施形態に対応して逆色変換を行う構成としたが、図１１（ａ）に示すように前述の第２の実施形態に対応して逆色変換を行う構成としてもよい。また、同図（ｂ）に示すように前述の第３の実施形態に対応して逆色変換を行う構成としてもよい。
＜第５の実施形態＞
次に、本発明の第５の実施形態について説明する。
【００４７】
本システムは必要に応じて前述の色調整部の機能を無効化する構成である。図１１に本例の基本システムを示す。同図に示す色調整部１５は前述の第１乃至第４の実施形態において使用した色調整部であり、調整前のデータ（出力データ（ＣｏＭｏＹｏＫｏ））を入力データに基づいて色調整する。
【００４８】
本例においては、予め無効化フラグを設定することによって、色調整部１５の出力を使用するか、又は調整前の出力データ（ＣｏＭｏＹｏＫｏ）をそのまま使用するかを選択する構成である。
【００４９】
以下に示す（３式）は、本例の計算式である。すなわち、
【００５０】
【数３】
2004007367.tif 000005
【００５１】
上記計算式は前述の（１式）の最終項（論理和）にフラグ（Ｆ）を加えた構成であり、例えばフラグＦが設定された場合、最終項の論理和が０となるように設定する。したがって、このように構成することによって、調整出力を無効化することができる。
＜第６の実施形態＞
次に、本発明の第６の実施形態について説明する。
【００５２】
本例は特に上記各実施形態の処理を実施する為の処理手順を、設定画面を利用して説明するものである。
図１２は本システムの基本構成を示す図であり、色調整部１６には調整前のデータが入力し、調整パラメータに従って色調整処理を実行する。また、図１３（ａ）は前述の色変換プロファイルの設定画面であり、同図（ｂ）は調整パラメータの設定画面である。
【００５３】
前述の第１乃至第５の実施形態において、色変換部にはデバイスに対応した色変換プロファイルが設定され、色調整部には調整パラメータが設定される必要がある。以下、これらの処理を上記図１３（ａ）、（ｂ）を使用して説明する。
【００５４】
先ず、図１４は前述の第１の実施形態に対応する色変換プロファイルと調整パラメータの設定処理を説明するフローチャートである。先ず、不図示の表示部に図１３（ａ）に示す色変換プロファイルの設定画面を表示する。そして、この設定画面上で、プリンタ出力時の色変換プロファイルを指定する（ステップ（以下、Ｓで示す）１）。この設定は、カラー用プロファイルとモノクロ用プロファイルの設定を行う。
【００５５】
例えば、カラー用プロファイルはスクロールボタン１７ａをチェックしてデバイスに対応したカラー用プロファイルを選択する。尚、同図の例では表示部１７にデバイスとしてＡプリンタのプロファイルが表示されている。また、モノクロ用プロファイルはスクロールボタン１８ａをチェックしてデバイスに対応したモノクロ用プロファイルを選択する。尚、同図の例では表示部１８にデバイスとして同じくＡプリンタのプロファイルが表示されている。
【００５６】
上記処理によって色変換プロファイルを設定した後、入力データとして評価用のサンプルデータを入力する（Ｓ２）。例えば、前述の図３のＮｏ．１に示す入力データ（０，０，１００，０）を入力する。また、同図のＮｏ．２乃至Ｎｏ．６に示す入力データを入力してもよい。
【００５７】
このようにして入力された入力データは、上記色変換プロファイルが設定された色変換部１によって色変換され（Ｓ３）、更に色調整部２によって色調整処理が施される（Ｓ４）。
【００５８】
このようにして色調整された調整後のデータ（ＣＭＹＫ）は不図示のプリンタ装置に出力され、調整後のデータ（ＣＭＹＫ）に従った印刷処理が行われる（Ｓ５）。ここで、プリンタ装置は例えばインクジェット方式のプリンタ装置で行う。この方式の場合、記録紙にシアン（Ｃ）、マゼンダ（Ｍ）、イエロー（Ｙ）、ブラック（Ｂ）のインクを吹き付けて印字する為、混色が明確になる為である。
【００５９】
次に、プリンタ装置から出力される印刷結果を確認し、印刷物に不要な色が混じっていないか判断する（Ｓ６）。ここで、印刷物に不要な色が混じっていなければ（Ｓ６がＮＯ）、処理を終了する。一方、印刷物に不要な色が混じっていれば（Ｓ６がＹＥＳ）、図１３（ｂ）の調整画面を開き、調整パラメータを変更する（Ｓ７）。
【００６０】
ここで、調整パラメータを変更した場合には、再度評価用サンプルデータを入力し、色変換部１による色変換処理を行い、色調整を行って印刷出力を行い、印刷物に不要な色が混じっていないか判断する。以後、上記処理を繰り返し、調整パラメータを調整しつつ混色を防止した調整パラメータの設定を行う。
【００６１】
このようにして、調整パラメータを設定した後、前述の第１の実施形態で説明した印刷データの色変換処理が行われる。
次に、図１５は前述の第２の実施形態に対応する色変換プロファイルと色調整の設定処理を説明するフローチャートである。この場合も前述と同様、先ずディスプレイに図１３（ａ）に示す色変換プロファイルの設定画面を表示し、プリンタ出力時の色変換プロファイルを設定する（ステップ（以下、ＳＴで示す）１）。
【００６２】
次に、前述の処理と同様、評価用のサンプルデータを入力し（ＳＴ２）、先ず印刷用のプロファイルを使用して色変換処理を行い（ＳＴ３）、更にプリンタ用のプロファイルを使用して色変換処理を行う（ＳＴ４）。
【００６３】
次に、色調整部５によって、色調整処理を行う（ＳＴ５）。このようにして色調整された調整後のデータ（ＣＭＹＫ）は、対応するデバイスであるプリンタ装置に出力され、調整後のデータ（ＣＭＹＫ）に従った印刷処理が行われる（ＳＴ６）。以後、印刷結果を確認し、印刷物に不要な色が混じっていなければ（ＳＴ７がＮＯ）、処理を終了し、印刷物に不要な色が混じっていれば（ＳＴ７がＹＥＳ）、前述の図１３（ｂ）に示す調整画面を開き、調整パラメータを変更する（ＳＴ８）。
【００６４】
さらに、図１６は前述の第３の実施形態に対応する色変換プロファイルと色調整の設定処理を説明するフローチャートである。この場合も前述と同様、先ずディスプレイに図１３（ａ）に示す色変換プロファイルの設定画面を表示し、プリンタ出力時の色変換プロファイルを設定する（ステップ（以下、ＳＴＰで示す）１）。
【００６５】
次に、前述の処理と同様、評価用のサンプルデータを入力し（ＳＴＰ２）、印刷用のプロファイルに応じた色変換処理を行う（ＳＴＰ３）。次に、プリンタ用のカラープロファイルに応じた色変換と、プリンタ用プロファイルに応じた色変換を行う（ＳＴＰ４）。このようにして色変換された出力データは、色調整部によって一方が選択され（ＳＴＰ５）、プリンタ装置に出力される（ＳＴＰ６）。
【００６６】
さらに、上記と同様印刷結果を確認し、印刷物に不要な色が混じっていなければ（ＳＴＰ７がＮＯ）、処理を終了し、印刷物に不要な色が混じっていれば（ＳＴＰ７がＹＥＳ）、前述の図１３（ｂ）に示す調整画面を開き、調整パラメータを変更する（ＳＴ８）。
【００６７】
以上のように、図１３（ａ）に示す色変換プロファイルを設定し、同図（ｂ）に示す調整パラメータを調整し、印刷結果に問題がないことを確認した調整パラメータを使用することによって、色変換プロファイルを変更することなく使用でき、色調整処理をより短時間で行うことができる。
【００６８】
尚、図１３（ｂ）に示す設定エリア１９は、前述の第５の実施形態で色調整出力を無効にする際設定するフラグ設定エリアであり、無効フラグを設定する場合には「する」のエリアをチェックし、無効フラグを設定しない場合には「しない」のエリアをチェックする。
【００６９】
また、調整パラメータの具体的な設定は、シアン（Ｃ）、マゼンダ（Ｍ）、イエロー（Ｙ）、ブラック（Ｋ）の対応するエリアをチェックすることによって設定できる。
【００７０】
また、上記実施形態で説明したデバイスはプリンタ装置や印刷機であるが、加法混色系のディスプレイをデバイスとする場合にも適用できる。
さらに、本実施形態において説明した処理は、図１７に示す構成のコンピュータ（情報処理装置）を用いて実行することもできる。同図のコンピュータ２０は、ＣＰＵ２１、メモリ２２、入力装置２３、出力装置２４、外部記憶装置２５、媒体駆動装置２６、及びネットワーク接続装置２７を備え、それらはバス２８により互い
に接続されている。
【００７１】
メモリ２２は、例えば、ＲＯＭ（Ｒｅａｄ　Ｏｎｌｙ　Ｍｅｍｏｒｙ）、ＲＡＭ（Ｒａｎｄｏｍ　Ａｃｃｅｓｓ　Ｍｅｍｏｒｙ）等を含み、処理に用いられるプログラムとデータを格納する。ＣＰＵ２１は、メモリ２２を利用してプログラムを実行することにより、前述の処理を行う。この処理は前述のフローチャートに示す通りである。
【００７２】
外部記憶装置２５は、例えば、磁気ディスク装置、光ディスク装置、光磁気ディスク装置等である。この外部記憶装置２５に上述のプログラムとデータを保存しておき、必要に応じて、それらをメモリ２２にロードして使用することもできる。
【００７３】
媒体駆動装置２６は、可搬出記録媒体２９を駆動し、その記録内容にアクセスする。可搬出記録媒体２９としては、メモリカード、メモリスティック、フレキシブルディスク、ＣＤ−ＲＯＭ（Ｃｏｍｐａｃｔ　Ｄｉｓｃ　Ｒｅａｄ　Ｏｎｌｙ　Ｍｅｍｏｒｙ）、光ディスク、光磁気ディスク、ＤＶＤ（Ｄｉｇｉｔａｌ　ＶｅｒｓａｔｉｌｅＤｉｓｋ）等、任意のコンピュータで読み取り可能な記録媒体が用いられる。
【００７４】
この可搬出記録媒体２９に上述のプログラムとデータを格納しておき、必要に応じて、それらをメモリ２２にロードして使用することもできる。
ネットワーク接続装置２７は、ＬＡＮ、ＷＡＮ等の任意のネットワーク（回線）を介して外部の装置を通信し、通信に伴なうデータ変換を行う。また、必要に応じて、上述のプログラムとデータを外部の装置から受け取り、それらをメモリ２２にロードして使用することもできる。
【００７５】
図１８は、上記図１７のコンピュータにプログラムとデータを供給することができる、コンピュータで読み取り可能な記録媒体及び伝送信号を説明する図である。
【００７６】
上述のプログラムや各テーブルに格納されるデータを、以下のようにしてコンピュータ２０に供給することにより、コンピュータ２０に前述の機能を行なわせることも可能である。そのためには、上述のプログラムやデータを、コンピュータで読み取り可能な記録媒体２９に予め記憶させておく。
【００７７】
そして、図１８に示すように、媒体駆動装置２６を用いて記録媒体２９からプログラム等をコンピュータ２０に読み出し、該コンピュータ２０のメモリ２２や外部記憶装置２５に一旦格納させ、そのコンピュータ２０の有するＣＰＵ２１にこの格納されたプログラムを読み出させて実行させる。
【００７８】
また、記録媒体２９からプログラムをコンピュータに読み出させる代わりに、プログラム（データ）提供者が有するＤＢ３０から、通信回線（ネットワーク）３１を介して、プログラムをダウンロードすることとしてもよい。
【００７９】
以上、本発明の実施形態について説明したが、本発明は上述した実施形態に限定されるものではなく、他の様々な変更が可能である。
【００８０】
（付記１）デバイスに対応した色変換プロファイルを有し、色情報を含む入力データを該色変換プロファイルに従って色変換する色変換手段と、
該色変換手段によって変換された色データを、前記入力データに基づいて調整する色調整手段と、
該色調整手段によって色調整された調整色データを前記デバイスに出力する出力手段と、
を有することを特徴とする色変換装置。
【００８１】
（付記２）前記デバイスは減法混色系の色データに基づいて印刷処理を行う印刷装置であることを特徴とする付記１記載の色変換装置。
（付記３）前記デバイスは加法混色系の色データに基づいて表示処理を行う表示装置であることを特徴とする付記１記載の色変換装置。
【００８２】
（付記４）複数の色変換手段を有し、前記入力データを標準色データに変換した後、前記デバイスに対応した色変換プロファイルを有する色変換手段によって色変換が行われることを特徴とする付記１記載の色変換装置。
【００８３】
（付記５）デバイスに対応したカラー用変換プロファイルを有し、色情報を含む入力データを該カラー用変換プロファイルに従って色変換する第１の色変換手段と、
前記デバイスに対応したモノクロ用プロファイルを有し、色情報を含む入力データを該モノクロ用プロファイルに従って変換する第２の色変換手段と、
前記入力データの色情報に基づいて前記第１の色変換手段の出力、又は第２の色変換手段の出力の一方を選択する色調整手段と、
該色調整手段によって選択された一方の出力を前記デバイスに供給する出力手段と、
を有することを特徴とする色変換装置。
【００８４】
（付記６）前記色変換手段の出力データが入力し、該色変換手段の色変換プロファイルを参照して入力データを生成する逆色変換手段を有し、前記色調整手段は、該逆色変換手段によって生成した入力データを使用して色調整を行うことを特徴とする付記１、４、又は５記載の色変換装置。
【００８５】
（付記７）前記色調整手段の色調整出力を無効とする無効設定手段を有することを特徴とする付記１、４、５、又は６記載の色変換装置。
（付記８）前記逆色変換手段に設定する色変換プロファイルの設定手段と、前記色調整手段の調整パラメータを変更する変更手段とを有することを特徴とする付記１、４、５、６、又は７記載の色変換装置。
【００８６】
（付記９）コンピュータが実行可能なプログラムであって、
色情報を含む入力データを色変換プロファイルに従って色変換する処理と、
該処理によって変換された色データを、前記入力データに基づいて調整する処理と、
該処理によって調整された調整色データを、前記色変換プロファイルに対応したデバイスに出力する処理と、
を実行することを特徴とする色変換プログラム。
【００８７】
（付記１０）　色情報を含む入力データを色変換プロファイルに従って色変換する処理と、
該処理によって変換された色データを、前記入力データに基づいて調整する処理と、
該処理によって調整された調整色データを、前記色変換プロファイルに対応したデバイスに出力する処理と、
を行うプログラムを記録し、コンピュータが実行可能なプログラムを記録する記録媒体。
【００８８】
【発明の効果】
以上説明したように、本発明によれば、色変換プロファイルによって色変換された出力データを色調整手段によって色調整する構成であり、複雑な色調整処理を行うことなく不要な色の混入を防止することができる。
【００８９】
また、色調整手段は視認性に問題がない場合には、色変換プロファイルの変換出力をそのままデバイスに出力、より高速な色変換処理を実現するものである。さらに、必要に応じて調整パラメータを調整し、より柔軟な色調整処理を行うことができる。
【図面の簡単な説明】
【図１】第１の実施形態のシステム構成図である。
【図２】第１の実施形態の具体的なシステム構成図である。
【図３】入力データ、出力データ、及び調整後のデータの具体例である。
【図４】第２の実施形態のシステム構成図である。
【図５】第２の実施形態の具体的なシステム構成図である。
【図６】第３の実施形態のシステム構成図である。
【図７】第３の実施形態の具体的なシステム構成図である。
【図８】印刷データのデータフォーマットである。
【図９】第４の実施形態を説明するシステム構成図である。
【図１０】（ａ）、（ｂ）は、第４の実施形態のシステム構成図である。
【図１１】第５の実施形態を説明するシステム構成図である。
【図１２】第６の実施形態を説明するシステム構成図である。
【図１３】（ａ）は色変換プロファイルの選択処理を行う画面を説明する図であり、（ｂ）は調整パラメータの設定処理を行う画面を説明する図である。
【図１４】本発明の処理を説明するフローチャートである。
【図１５】本発明の処理を説明するフローチャートである。
【図１６】本発明の処理を説明するフローチャートである。
【図１７】情報処理装置の構成図である。
【図１８】記録媒体を示す図である。
【符号の説明】
１　色変換部
２　色調整部
３　色変換テーブル
４ａ、４ｂ、・・・　色変換部
５　色調整部
６ａ、６ｂ、・・・　色変換部
７　色調整部
８ａ、８ｂ、・・・　色変換部
１０　色変換部
１１　色調整部
１２　逆色変換部
１５、１６　色調整部
１７ａ、１８ａ　スクロールボタン
１７、１８　表示部
【図１】
2004007367.tif 000006
【図２】
2004007367.tif 000007
【図３】
2004007367.tif 000008
【図４】
2004007367.tif 000009
【図５】
2004007367.tif 000010
【図６】
2004007367.tif 000011
【図７】
2004007367.tif 000012
【図８】
2004007367.tif 000013
【図９】
2004007367.tif 000014
【図１０】
2004007367.tif 000015
【図１１】
2004007367.tif 000016
【図１２】
2004007367.tif 000017
【図１３】
2004007367.tif 000018
【図１４】
2004007367.tif 000019
【図１５】
2004007367.tif 000020
【図１６】
2004007367.tif 000021
【図１７】
2004007367.tif 000022
【図１８】
2004007367.tif 000023